(57)【要約】【課題】組付シートから突出しているワイヤハーネスの端末が引っかかったり、絡まったりすることなく梱包できるワイヤハーネス組付体を提供する。【解決手段】ワイヤハーネス組付体１は、ドアトリムにワイヤハーネス３を組み付けるためのものであって、ワイヤハーネス３と、ワイヤハーネス３を互いの間に挟んで保持する防音／断熱シート４Ａ及び貼合せシート４Ｂと、を備えている。ワイヤハーネス３は、その端末が防音／断熱シート４Ａ及び貼合せシート４Ｂの端部から突出している。この貼合せシート４Ｂの端部には、梱包時にワイヤハーネス３の端末を折り返して、貼合せシート４Ｂに重ねるための切欠４Ｄが設けられている。【選択図】図５
2015067071.tif 000002
【特許請求の範囲】
【請求項１】
被組付部にワイヤハーネスを組み付けるためのワイヤハーネス組付体であって、
前記ワイヤハーネスと、
前記ワイヤハーネスを内部に配置して保持する組付シートと、を備え、
前記ワイヤハーネスの端末が、前記組付シートの端部から突出し、
前記組付シートの端部には、前記ワイヤハーネスの端末を折り返して前記組付シートに重ねるための切欠が設けられている
ことを特徴とするワイヤハーネス組付体。
【請求項２】
前記組付シートは、前記ワイヤハーネスを互いの間に挟んで保持する一対のシート材から構成され、
前記切欠は、前記一対のシート材の少なくとも一方に設けられている
ことを特徴とする請求項１に記載のワイヤハーネス組付体。
【請求項３】
前記組付シートの端部には、前記ワイヤハーネスの長手方向に沿った一対の切り込みが設けられ、
前記一対の切り込み間を折り返すことにより、前記切欠が設けられる
ことを特徴とする請求項１又は２に記載のワイヤハーネス組付体。
【発明の詳細な説明】
【技術分野】
【０００１】
本発明は、ワイヤハーネス組付体に係り、特に、ドアトリムなどの被組付部にワイヤハーネスを組み付けるためのワイヤハーネス組付体に関するものである。
【背景技術】
【０００２】
ドアトリムにワイヤハーネスを組み付けるためのワイヤハーネス組付体１００として、図７に示すものが提案されている（特許文献１、２）。同図に示すように、ワイヤハーネス組付体１００は、ワイヤハーネス１０１と、このワイヤハーネス１０１を互いの間に挟んで保持する一対のシート材１０２Ａ及び１０２Ｂと、を備えている。
【０００３】
ワイヤハーネス１０１の端末は、一対のシート材１０２Ａ及び１０２Ｂの端部から突出し、車両ドアに配置されたオーディオなどの電子機器に接続される。上記シート材１０２Ａ及び１０２Ｂをドアトリムにネジ止めしたり、超音波溶着することにより、簡単にドアトリムにワイヤハーネスを組み付けることができる。
【０００４】
上述したワイヤハーネス組付体１００は、図７に示すように、納品時に同じ形状のものを複数重ねた状態で梱包される。このとき、シート材１０２Ａ及び１０２Ｂから突出したワイヤハーネス１０１の端末が絡まったり、引っかかったりする恐れがあった。
【先行技術文献】
【特許文献】
【０００５】
【特許文献１】特開平２００５−３２９８３８号公報
【特許文献２】特開平２００６−２５６５６６号公報
【発明の概要】
【発明が解決しようとする課題】
【０００６】
そこで、本発明は、組付シートから突出しているワイヤハーネスの端末が引っかかったり、絡まったりすることなく梱包できるワイヤハーネス組付体を提供することを課題とする。
【課題を解決するための手段】
【０００７】
上述した課題を解決するための請求項１記載の発明は、被組付部にワイヤハーネスを組み付けるためのワイヤハーネス組付体であって、前記ワイヤハーネスと、前記ワイヤハーネスを内部に配置して保持する組付シートと、を備え、前記ワイヤハーネスの端末が、前記組付シートの端部から突出し、前記組付シートの端部には、前記ワイヤハーネスの端末を折り返して前記組付シートに重ねるための切欠が設けられていることを特徴とするワイヤハーネス組付体に存する。
【０００８】
請求項２記載の発明は、前記組付シートは、前記ワイヤハーネスを互いの間に挟んで保持する一対のシート材から構成され、前記切欠は、前記一対のシート材の少なくとも一方に設けられていることを特徴とする請求項１に記載のワイヤハーネス組付体に存する。
【０００９】
請求項３記載の発明は、前記組付シートの端部には、前記ワイヤハーネスの長手方向に沿った一対の切り込みが設けられ、前記一対の切り込み間を折り返すことにより、前記切欠が設けられることを特徴とする請求項１又は２に記載のワイヤハーネス組付体に存する。
【発明の効果】
【００１０】
以上説明したように請求項１記載の発明によれば、ワイヤハーネスの端末を組付シートの端部に設けられた切欠で折り返すことにより、ワイヤハーネスの端末を組付シートの端部から突出しない状態で保持できる。このため、組付シートから突出しているワイヤハーネスの端末が引っかかったり、絡まったりすることなく梱包できる。また、ワイヤハーネスの端末を折り返して、組付シートに重ねることにより、ワイヤハーネス組付体を縮小でき、輸送性が向上する。さらに、ワイヤハーネスの端末の余長が確保され、ワイヤハーネスの結線作業性が向上する。
【００１１】
請求項２記載の発明によれば、一対のシート材でワイヤハーネスを挟んで保持することにより、簡単に組付シートの内部にワイヤハーネスを配置して保持することができる。
【００１２】
請求項３記載の発明によれば、梱包時のみ一対の切り込み間を折り返して切欠を設けることができ、組み付け時などには一対の切り込み間を戻して切欠をなくすことができる。
【図面の簡単な説明】
【００１３】
【図１】本発明のワイヤハーネス組付体が組み付けられるドアの斜視図である。
【図２】（Ａ）及び（Ｂ）は、図１に示すドアに組み付けられるワイヤハーネス組付体の分解斜視図及び斜視図である。
【図３】図１に示すドアにワイヤハーネス組付体が組み付けられる様子を示す斜視図である。
【図４】図２に示すワイヤハーネス組付体の梱包時の様子を示す斜視図である。
【図５】（Ａ）は第１実施形態における図３の部分拡大図であり、（Ｂ）は第１実施形態における図４の部分拡大図である。
【図６】（Ａ）は第２実施形態における図３の部分拡大図であり、（Ｂ）は第２実施形態における図４の部分拡大図である。
【図７】従来のワイヤハーネス組付体の梱包時の様子を示す斜視図である。
【発明を実施するための形態】
【００１４】
第１実施形態
以下、本発明の第１実施形態におけるワイヤハーネス組付体について図１〜図５を参照して説明する。ワイヤハーネス組付体１は、図１及び図３に示す、車両用ドア２を構成するドアトリム２Ｂにワイヤハーネス３を組み付けるためのものである。
【００１５】
ドアパネル２Ａは、鋼板から構成され、ドアトリム２Ｂよりも車室外側に設けられている。このドアパネル２Ａの上方には、内側にウインドウガラスＧが位置するウインドウ枠Ｓが設けられている。ドアトリム２Ｂは、合成樹脂から構成され、ドアパネル２Ａの車室内側に取り付けられる。上記ワイヤハーネス組付体１は、このドアトリム２Ｂに組み付けられ、ドアパネル２Ａとドアトリム２Ｂとの間に配置される。
【００１６】
上記ワイヤハーネス組付体１は、ワイヤハーネス３と、ワイヤハーネス３を内部に配置して保持する組付シート４と、を備えている。
【００１７】
上記ワイヤハーネス３は、例えば丸電線を一列に並べて連結したフラットケーブルなど厚さ寸法よりも幅寸法が大きいものが好ましいが、単に複数の電線を束ねた組電線などから構成されていてもよい。このワイヤハーネス３は、複数に分岐され、それぞれの端末にはコネクタ３Ａが取り付けられている。コネクタ３Ａは、車両用ドア２に配置されたオーディオなどの電子機器に接続される。このワイヤハーネス３は、後述する防音／断熱シート４Ａ及び貼合せシート４Ｂに挟まれて保持され、コネクタ３Ａが防音／断熱シート４Ａ及び貼合せシート４Ｂの端部から突出した状態で、ドアトリム２Ｂに組み付けられる。
【００１８】
組付シート４は、ワイヤハーネス３を互いの間に挟んで保持する防音／断熱シート４Ａ及び貼合せシート４Ｂ（一対のシート材）から構成されている。この防音／断熱シート４Ａ及び貼合せシート４Ｂは、シート状に形成され、ドアトリム２Ｂの大きさに合わせて形成されている。この防音／断熱シート４Ａ及び貼合せシート４Ｂには、ドアトリム２Ｂに形成された図示しない圧入部が圧入される圧入孔４Ｃが複数設けられている。
【００１９】
この圧入孔４Ｃは、防音／断熱シート４Ａ及び貼合せシート４Ｂの双方を貫通するように設けられ、予め設計されたワイヤハーネス３の配索経路以外の場所に、互いに間隔をあけて設けられている。そして、この圧入孔４Ｃにドアトリム２Ｂに突設された図示しない圧入部を圧入することにより、ドアトリム２Ｂにワイヤハーネス組付体１を組み付けることができる。
【００２０】
上記防音／断熱シート４Ａは、例えば、ウレタン等の発泡体や、ポリプロピレン繊維、ポリエチレンテレフタレート繊維、ポリエステル系繊維などの不織布から構成され、防音性及び断熱性を有している。貼合せシート４Ｂは、塩化ビニル、ポリエチレンなどのフィルムや、ポリエチレン、ポリプロピレン、ポリスチレン、エラストマー等の独立発泡体などから構成されている。なお、ここで挙げた防音／断熱シート４Ａ、貼合せシート４Ｂの材料は一例であり、本発明はこれに限定されるものではない。
【００２１】
この貼合せシート４Ｂの端部には、図５（Ａ）などに示すように、ワイヤハーネス３の端末を折り返すための切欠４Ｄが設けられている。この切欠４Ｄは、貼合せシート４の端部においてワイヤハーネス３の端末が突出している部分を切り取って設けられ、端末が突出しているワイヤハーネス３に沿って切り欠かれている。また、切欠４Ｄの幅は、ワイヤハーネス３の幅とほぼ同じに設けられている。この切欠４Ｄは、防音／断熱シート４Ａ及び貼合せシート４Ｂの端部から突出している全てのワイヤハーネス３の端末に対して複数設けられている。
【００２２】
次に、上述した構成のワイヤハーネス組付体１の製造手順について、図２を参照して説明する。まず、予め、図２（Ａ）に示すように、防音／断熱シート４Ａ及び貼合せシート４Ｂを別々に製造しておき、ワイヤハーネス３を配索形状に形作った状態で、防音／断熱シート４Ａ上に配置する。このとき、ワイヤハーネス３の端末は、防音／断熱シート４Ａから突出している。次に、貼合せシート４Ｂの面全体に接着剤を塗布して、図２（Ｂ）に示すように、貼合せシート４Ｂを防音／断熱シート４Ａに重ねて完成する。
【００２３】
このワイヤハーネス組付体１を例えばドアトリム２Ｂへの組み付け工場に出荷する際には、図５（Ｂ）に示すように、切欠４Ｄでワイヤハーネス３の端末を折り返して、貼合せシート４Ｂに重ねる。そして、図４に示すように、ワイヤハーネス組付体１は、組付シート４から突出した全てのワイヤハーネス３の端末を切欠４Ｄで折り返した状態で、複数重ねて梱包されて搬送される。
【００２４】
搬送先のドアトリム２Ｂでの組み付け工場では、図３に示すように、折り返されたワイヤハーネス３の端末を元に戻して、再び組付シート４の端部から突出させる。その後、貼合せシート４Ｂをドアトリム２Ｂ側に向けて、防音／断熱シート４Ａ及び貼合せシート４Ｂの圧入孔４Ｃにドアトリム２Ｂに突設された図示しない圧入部を圧入する。これにより、ドアトリム２Ｂにワイヤハーネス組付体１を組み付けることができる。
【００２５】
上述した第１実施形態によれば、ワイヤハーネス３の端末を貼合せシート４Ｂの端部に設けられた切欠４Ｄで折り返すことにより、ワイヤハーネス３の端末を組付シート４の端部から突出しない状態で保持できる。このため、組付シート４から突出しているワイヤハーネス３の端末が引っかかったり、絡まったりすることなく梱包できる。また、ワイヤハーネス３の端末を折り返して、貼合せシート４Ｂ上に重ねることにより、ワイヤハーネス組付体１を縮小でき、輸送性が向上する。さらに、ワイヤハーネス３の端末の余長が確保され、ワイヤハーネス３の結線作業性が向上する。
【００２６】
第２実施形態
次に、第２実施形態のワイヤハーネス組付体１について説明する。第１実施形態と第２実施形態とで異なる点は、切欠４Ｄの構成である。第１実施形態では、貼合せシート４Ｂの端部の一部を切り取って切欠４Ｄを設けていたが、第２実施形態では、切り取らずに切欠４Ｄを設けている。即ち、図６（Ａ）に示すように、貼合せシート４Ｂの端部には、ワイヤハーネス３の長手方向に沿った一対の切り込み４Ｅが設けられている。そして、図６（Ｂ）に示すように、この一対の切り込み４Ｅを折り返すことにより、切欠４Ｄを設けるようにしてもよい。
【００２７】
この場合、図６（Ｂ）に示すように、梱包時のみ一対の切り込み４Ｅ間を折り返して切欠４Ｄを設けることができる。また、組み付け時などは、図６（Ａ）に示すように、一対の切り込み４Ｅ間を戻して切欠４Ｄをなくすことができる。
【００２８】
なお、上述した実施形態によれば、貼合せシート４Ｂに切欠４Ｄを設けていたが、これに限ったものではなく、防音／断熱シート４Ａのみに切欠４Ｄを設けるようにしてもよいし、防音／断熱シート４Ａ及び貼合せシート４Ｂの双方に切欠４Ｄを設けるようにしてもよい。
【００２９】
また、上述した実施形態によれば、組付シート４は、防音／断熱シート４Ａ及び貼合せシート４Ｂを貼り合わせて構成されていたが、本発明はこれに限ったものではない。例えば、組付シート４としては、１枚のシートから構成するようにしてもよい。この場合、ワイヤハーネス３を組付シート４形成用の金型（図示せず）に挿入した状態で、金型に組付シート４の材料を流し込むことにより、ワイヤハーネス３を内部に配置した状態で組付シート４をインサート成形すれば、１枚のシートの内部にワイヤハーネス３を配置して保持することができる。
【００３０】
また、上述した実施形態によれば、ドアトリム２Ｂに設けられた圧入部が、組付シート４に設けられた圧入孔４Ｃに圧入されて、ワイヤハーネス組付体１が固定されていたが、本発明はこれに限ったものではない。組付シート４をドアトリム２Ｂに接着又は溶着してもよく、又はネジやビスなどを用いて固定してもよい。
【００３１】
また、上述した実施形態によれば、被組付部をドアトリム２Ｂとし、ドアトリム２Ｂにワイヤハーネス組付体１を組み付けていたが、本発明はこれに限ったものではない。被組付部としては、他に車両のルーフやインパネ、フロアなどが考えられ、これらにワイヤハーネス組付体１を組み付けるようにしてもよい。
【００３２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３３】
１  ワイヤハーネス組付体
２Ｂ  ドアトリム（被組付部）
３  ワイヤハーネス
４  組付シート
４Ａ  防音／断熱シート（シート材）
４Ｂ  貼合せシート（シート材）
４Ｄ  切欠
４Ｅ  切り込み
【図１】
2015067071.tif 000003
【図２】
2015067071.tif 000004
【図３】
2015067071.tif 000005
【図４】
2015067071.tif 000006
【図５】
2015067071.tif 000007
【図６】
2015067071.tif 000008
【図７】
2015067071.tif 000009